(57)【要約】      （修正有）【課題】壁や天井等の断熱効率が良好で、壁や天井等が衛生的な岩盤浴装置を提供する。【解決手段】床１１、壁、及び天井で密閉の箱状に形成されかつ床１１の内部、壁の内部、及び天井の内部にそれぞれ断熱層を有する冷凍用コンテナと、冷凍用コンテナの内部における床１１の上に設けられた岩盤浴手段Ｇと、を備えた。  岩盤浴手段Ｇが、断熱材１５と、少なくとも１本の温水パイプ５と、エキスパンドメタル６と、複数の岩盤石７と、モルタル８と、ボイラと、温水パイプ５による加熱で蒸発する水をモルタル８の上にまく散水ノズルと、を備えた。【選択図】図４
2008125883.tif 000002
【特許請求の範囲】
【請求項１】
床、壁、及び天井で密閉の箱状に形成されかつ前記床の内部、前記壁の内部、及び前記天井の内部にそれぞれ断熱層を有する冷凍用コンテナと、
前記冷凍用コンテナの内部における前記床の上に設けられた岩盤浴手段と、
を備えたことを特徴とする岩盤浴装置。
【請求項２】
前記岩盤浴手段が、
前記床の上に敷設された断熱材と、
前記断熱材の上に蛇行するように設置された少なくとも１本の温水パイプと、
前記温水パイプの上に敷設されたエキスパンドメタルと、
前記エキスパンドメタルの上に設置された複数の岩盤石と、
前記温水パイプ、前記エキスパンドメタル、及び前記岩盤石を埋め込むようにかつ前記岩盤石の上面が露出するように前記断熱材の上に打設されたモルタルと、
前記モルタルの上に設置されかつ前記温水パイプの内部を通る温水が循環するように前記温水パイプの一端及び他端がそれぞれ接続されたボイラと、
前記モルタルの上方に設けられかつ前記温水パイプによる加熱で蒸発する水を前記モルタルの上にまく散水ノズルと、
を備えた請求項１記載の岩盤浴装置。
【請求項３】
前記断熱材と前記温水パイプとの間にワイヤーメッシュを介在させた請求項２記載の岩盤浴装置。
【請求項４】
前記散水ノズルの近傍に前記温水パイプの一部を密集させた請求項２又は３記載の岩盤浴装置。
【請求項５】
前記温水パイプを、前記ワイヤーメッシュを構成する縦方向の線材又は横方向の線材の長さ方向に沿って配置しかつ前記縦方向の線材又は前記横方向の線材に固定した請求項３又は４記載の岩盤浴装置。
【発明の詳細な説明】
【技術分野】
【０００１】
本発明は、冷凍用コンテナ内で岩盤浴が可能な岩盤浴装置に関するものである。
【背景技術】
【０００２】
従来のこの種の技術としては、外気から遮断された部屋の床に配置されかつ温熱効果を得ることが可能な岩盤部材を備え、前記岩盤部材が、人体が直接的又は間接的に接触する岩盤層と、前記岩盤層の下に配置されかつ内部に電気ヒータが設けられた温熱層と、前記温熱層の下に配置された断熱層とを有し、前記部屋が、家の外に設置された簡易型ハウスに設けられることを特徴とする岩盤温熱浴設備（例えば、特許文献１参照）が知られている。
【特許文献１】実用新案登録第３１１６８４１号公報（請求項１、請求項８、図１等）
【０００３】
このような岩盤温熱浴設備において、前記簡易型ハウスの部屋の床は、下から順に基礎コンクリート層、断熱層、コンクリート層、活性炭層、温熱層、及び岩盤層を積層した岩盤部材で構成されている。あるいは、前記岩盤部材が、前記簡易型ハウスの部屋に施工した一般の床の上に設置されている。
【０００４】
前記岩盤層の上面には、上面が露出するように複数の板状岩盤が埋設されている。前記岩盤層における前記板状岩盤以外の部分は、セメント材料で構成されかつ多数の連続気泡を有する透水部とされている。
【０００５】
前記温熱層の上部側には、電気ヒータが埋設されている。前記温熱層における前記電気ヒータ以外の部分も、セメント材料で構成されかつ多数の連続気泡を有する透水部とされている。
【０００６】
前記岩盤層の透水部においては、連続気泡に含浸された水が前記電気ヒータの加熱で蒸発することによって、前記部屋内に水蒸気が発生するようになっている。
【発明の開示】
【発明が解決しようとする課題】
【０００７】
しかし、上記のような従来の岩盤温熱浴設備においては、前記簡易型ハウスの壁の内部や天井としての屋根の内部に断熱層が設けられているものの、壁や天井の断熱効率が良くないので、壁や天井に結露が生じることが多い。そのため、前記簡易型ハウスの壁や天井にカビが発生し易いという問題点がある。
【０００８】
本発明は、以上のような事情や問題点に鑑みてなされたものであり、壁や天井等の断熱効率が良好で、壁や天井等が衛生的な岩盤浴装置を提供することを目的とする。
【課題を解決するための手段】
【０００９】
上記目的を達成するための請求項１の発明は、床、壁、及び天井で密閉の箱状に形成されかつ前記床の内部、前記壁の内部、及び前記天井の内部にそれぞれ断熱層を有する冷凍用コンテナと、前記冷凍用コンテナの内部における前記床の上に設けられた岩盤浴手段と、を備えたものである。
【００１０】
請求項２の発明は、前記岩盤浴手段が、前記床の上に敷設された断熱材と、前記断熱材の上に蛇行するように設置された少なくとも１本の温水パイプと、前記温水パイプの上に敷設されたエキスパンドメタルと、前記エキスパンドメタルの上に設置された複数の岩盤石と、前記温水パイプ、前記エキスパンドメタル、及び前記岩盤石を埋め込むようにかつ前記岩盤石の上面が露出するように前記断熱材の上に打設されたモルタルと、前記モルタルの上に設置されかつ前記温水パイプの内部を通る温水が循環するように前記温水パイプの一端及び他端がそれぞれ接続されたボイラと、前記モルタルの上方に設けられかつ前記温水パイプによる加熱で蒸発する水を前記モルタルの上にまく散水ノズルと、を備えたものである。
【００１１】
請求項３の発明は、前記断熱材と前記温水パイプとの間にワイヤーメッシュを介在させたものである。
【００１２】
請求項４の発明は、前記散水ノズルの近傍に前記温水パイプの一部を密集させたものである。
【００１３】
請求項５の発明は、前記温水パイプを、前記ワイヤーメッシュを構成する縦方向の線材又は横方向の線材の長さ方向に沿って配置しかつ前記縦方向の線材又は前記横方向の線材に固定したものである。
【発明の効果】
【００１４】
請求項１の発明によれば、以下のような効果がある。
（１−１）断熱効率が高い冷凍用コンテナを使用しているので、熱の放出が少なく、燃料費が安い。また、壁や天井に結露が生じにくく、カビが発生しにくくなっているので、壁や天井が衛生的である。
（１−２）冷凍用コンテナの使用によりユニット化されているので、ａ）工期が短くて済む、ｂ）岩盤浴施設工事の専門家が不要である、ｃ）故障が少ない、ｄ）岩盤浴装置が接続されるか又は岩盤浴装置に隣接する建物への湿気の影響がない、ｅ）量産により低コストでの製造が可能である、等の特徴がある。
【００１５】
請求項２の発明によれば、以下のような効果がある。
（２−１）温水パイプと岩盤石との間にモルタルよりも熱伝導率の高いエキスパンドメタルが介在し、施工床面の加熱効率が良好であるので、施工床面の温度の均一化及び昇温時間の短縮化を図ることができる。
（２−２）施工床面は、モルタル及び岩盤石で構成されていて清掃し易いので、衛生的である。
（２−３）モルタルの上に散水するだけで内部を加湿でき、加湿装置を別途用意する必要がないので、施設費及び運営経費の低減化を図ることができる。
【００１６】
請求項３の発明によれば、ワイヤーメッシュがモルタルに埋め込まれるので、モルタル層の強度を向上させることができる。
【００１７】
請求項４の発明によれば、散水ノズルの近傍の施工床面をより効率良く加熱でき、散水ノズルからまかれた水がより蒸発し易いので、加湿効率を向上させることができる。
【００１８】
請求項５の発明によれば、温水パイプ同士の間隔を縦方向の線材同士の間隔又は横方向の線材同士の間隔にほぼ合わせることができるので、温水パイプの設置作業を簡単に行うことができる。
【発明を実施するための最良の形態】
【００１９】
以下、本発明の実施形態を図面に基づいて説明する。
本実施形態に係る岩盤浴装置１は、図１〜図４に示すように、冷凍用コンテナ２及び岩盤浴手段Ｇを備えたものである。
【００２０】
ここでいう冷凍用コンテナとは、生鮮食品、冷凍食材、定温輸送が必要な化学品等の輸送に好適なコンテナであって、内部を冷却する冷却ユニットを別途設けた場合に−２５℃位までの冷却・保温が可能な、断熱効率が高い（断熱性に優れた）コンテナをいう。
【００２１】
岩盤浴手段Ｇは、主な構成要素として、断熱材３、ワイヤーメッシュ４、例えば２本の温水パイプ５、エキスパンドメタル６、複数の岩盤石７、モルタル８、ボイラ９、及び散水ノズル１０を備えている。
【００２２】
冷凍用コンテナ２は、床１１、壁１２、及び天井１３で密閉の箱状に形成されており、床１１の内部、壁１２の内部、及び天井１３の内部にそれぞれ断熱層を有している。岩盤浴手段Ｇは、冷凍用コンテナ２の内部における床１１の上に設けられている。
【００２３】
床１１は、図４に示すように、床材１４と、床材１４の上に敷設された断熱材１５と、断熱材１５の上に敷設された床材１６と、床材１６の上に設置された複数の大引１７とを備えている。床１１の内部の断熱層は、断熱材１５で構成されている。断熱材１５としては、硬質ポリウレタンフォーム等が挙げられる。床材１４、１６としては、アルミニウム板等が挙げられる。大引１７としては、図４のようなＨ形鋼等が挙げられる。大引１７は、冷凍用コンテナ２の例えば短手方向に沿うように互いに間隔を開けて複数本設置されている。
【００２４】
壁１２は、図２及び図３に示すように、外装材１８と、外装材１８の内側に配置された断熱材１９と、断熱材１９の内側に配置された内装材２０とを備えている。外装材１８と内装材２０との間には、図示しない複数の柱材が設けられている。壁１２の内部の断熱層は、断熱材１９で構成されている。外装材１８としては、アルミニウム板等が挙げられる。断熱材１９としては、硬質ポリウレタンフォーム等が挙げられる。内装材２０としては、ステンレス板等が挙げられる。
【００２５】
天井１３は、断面を図示しないが、壁１２とほぼ同様に構成されており、外装材と、外装材の内側に配置された断熱材と、断熱材の内側に配置された内装材とを備えている。外装材と内装材との間には、図示しない複数の梁が設けられている。天井１３の内部の断熱層も、断熱材で構成されている。
【００２６】
ここで、壁１２の内装材２０や天井１３の内装材としてステンレス板を採用すれば、雑菌等が繁殖しにくく、清潔であると共に、消毒、滅菌、洗浄によっても劣化しにくいという利点がある。
【００２７】
断熱材３は、図４に示すように、床１１の上に敷設されている。断熱材３としては、硬質ポリウレタンフォーム等が挙げられる。床１１の大引１７と断熱材３との間には、アルミニウム板等の床材を介在させてもよい。
【００２８】
ワイヤーメッシュ４は、図４及び図５に示すように、縦方向の複数の線材２１と横方向の複数の線材２１とで格子状に形成されており、断熱材３の上に敷設されている。
【００２９】
温水パイプ５は、図３及び図４に示すように、ワイヤーメッシュ４の上に蛇行するように例えば２本設置されている。温水パイプ５の数は、特に限定されるものではなく、１本又は３本以上であってもよい。温水パイプ５同士の間隔も、特に限定されるものではないが、例えば１００ｍｍ程度にすることができる。
【００３０】
ここで、図３及び図４に示すように、温水パイプ５を、ワイヤーメッシュ４を構成する縦方向の線材２１又は横方向の線材２１の長さ方向に沿って配置し、かつ縦方向の線材２１又は横方向の線材２１に番線（結束線）２２等で固定しておけば、温水パイプ５同士の間隔を縦方向の線材２１同士の間隔又は横方向の線材２１同士の間隔にほぼ合わせることができるので、温水パイプ５の設置作業を簡単に行えるという利点がある。
【００３１】
エキスパンドメタル６は、図４に示すように、温水パイプ５の上に敷設されている。なお、ここでいうエキスパンドメタルとは、金属板をエキスパンド製造機によって千鳥状に切れ目を入れながら押し広げ、その切れ目を菱形又は亀甲形に成形したメッシュ状の金属部材をいう。このようなエキスパンドメタル６は、図４及び図６のような表面に隆起のないグレーチングタイプのものの他、表面に隆起を有するスタンダードタイプのものであってもよい。
【００３２】
岩盤石７は、板状に形成されており、エキスパンドメタル６の上に複数枚設置されている。なお、ここでいう岩盤石とは、温水パイプ５等の加熱手段による加熱で遠赤外線を放射する石であって、遠赤外線の放射率が比較的高いか、あるいは加熱によりマイナスイオンも発生する石をいう。このような岩盤石７としては、天照石、ラジウム鉱石、トルマリン鉱石、天寿石、麦飯石、ゲルマニウム板石、角閃石、神天石（ブラックシリカ）、合成窯石等が挙げられる。
【００３３】
モルタル８は、図２及び図４に示すように、ワイヤーメッシュ４、温水パイプ５、エキスパンドメタル６、及び岩盤石７を埋め込むように、かつ岩盤石７の上面が露出するように、断熱材３の上に打設されている。硬化後のモルタル８の上面又は岩盤石７の上面により、施工床面が構成される。このように、断熱材３と温水パイプ５との間にワイヤーメッシュ４を介在させておけば、ワイヤーメッシュ４がモルタル８に埋め込まれるので、モルタル層の強度を向上できるという利点がある。
【００３４】
冷凍用コンテナ２の例えば手前側の壁１２には、図１〜図３に示すように、出入口３１が設けられている。出入口３１には、回動開閉自在なドア３２が設けられている。なお、出入口３１やドア３２は、手前側の壁１２以外の壁１２に設けてもよい。
【００３５】
岩盤浴装置１の内部には、図２に示すように、ボイラ室３３、蒸発ゾーン３４、例えば５名分の岩盤浴ゾーン３５、及び例えば２つの通路ゾーン３６が設けられている。
【００３６】
ボイラ室３３は、冷凍用コンテナ２の例えば奥側の壁１２に隣接して設けられている。ボイラ９は、ボイラ室３３の内部におけるモルタル８の上面に設置されている。モルタル８の上面からのボイラ室３３の高さ寸法は、特に限定されるものではないが、例えば１０００ｍｍ程度にすることができる。図示しないが、冷凍用コンテナ２の壁１２には、熱交換型換気扇が設けられている。同様に、冷凍用コンテナ２の内壁面には、複数の電灯、電灯スイッチ、ボイラのコントローラ、熱交換型換気扇のコントローラ、温度計、湿度計、防滴型時計、防滴型スピーカ等が設けられている。
【００３７】
蒸発ゾーン３４は、底面が他の部分より数ｃｍ低くなるように施工されている。蒸発ゾーン３４における例えばドア３２の近傍には、排水口３７が設けられている。蒸発ゾーン３４の底面には、高さが数ｃｍのスノコ３８が設置されている。なお、排水口３７の位置は、特に限定されるものではなく、適宜変更可能である。いずれにしても、蒸発ゾーン３４の底面には、排水口３７に向かって下る勾配を付けておくのが望ましい。
【００３８】
各岩盤浴ゾーン３５には、例えば１６枚の岩盤石７がそれぞれ設置されている。一方の通路ゾーン３６には、例えば９枚の岩盤石７が設置されている。他方の通路ゾーン３６には、例えば６枚の岩盤石７が設置されている。図示しないが、いずれかの通路ゾーン３６には、岩盤浴装置１の内部の清掃等に利用可能な給水栓が設けられている。
【００３９】
なお、岩盤浴ゾーン３５の数は、特に限定されるものではなく、４つ以下又は６つ以上であってもよい。通路ゾーン３６の数も１つ又は３つ以上であってもよいし、通路ゾーン３６自体を設けなくてもよい。岩盤浴ゾーン３５における岩盤石７の数も、１５枚以下又は１７枚以上であってもよい。通路ゾーン３６における岩盤石７の数も、５枚以下、７枚、８枚、又は１０枚以上であってもよい。ボイラ室３３、蒸発ゾーン３４、岩盤浴ゾーン３５、及び通路ゾーン３６の配置パターン、岩盤浴ゾーン３５や通路ゾーン３６における岩盤石７の設置パターンや岩盤石７同士の間隔も、必要に応じて適宜変更可能である。通路ゾーン３６における岩盤石７の数も５枚以下、７枚、８枚、又は１０枚以上であってもよいし、通路ゾーン３６に岩盤石７自体を設置しなくてもよい。給水栓の位置も、特に限定されるものではなく、適宜変更可能である。
【００４０】
ボイラ９には、図３に示すように、温水パイプ５の内部を通る温水が循環するように、各温水パイプ５の一端及び他端がそれぞれ接続されている。
【００４１】
ここで、図３のように、２系統の温水パイプ５を設けた場合において、一の系統の温水パイプ５を例えば手前側の壁１２から奥側の壁１２に向かって蛇行するように設置し、他の系統の温水パイプ５を例えば奥側の壁１２から手前側の壁１２に向かって蛇行するように設置すると共に、両系統の温水パイプ５を交互に設置しておけば、施工床面の温度の均一化及び昇温時間の短縮化を図ることができるという利点がある。
【００４２】
散水ノズル１０は、モルタル８の上方における例えばボイラ室３３の外壁面又は蒸発ゾーン３４に設けられており、温水パイプ５による加熱で蒸発する水３９を例えば蒸発ゾーン３４のモルタル８の上にまく。散水ノズル１０の高さは、特に限定されるものではなく、蒸発用の水３９が最終的に蒸発ゾーン３４のモルタル８の上にまかれるようにすればよい。散水ノズル１０からまかれた水３９は、温水パイプ５による加熱で蒸発する。散水は、常時又は定期的に行うことができる。
【００４３】
上記のように構成された岩盤浴装置１は、図１に示すように、まず、屋外又は屋内の適宜の場所に複数の基礎用コンクリートブロック４０等を介して設置する。設置された岩盤浴装置１に対しては、必要に応じて、電気設備工事、給排水工事等を行っておく。
【００４４】
岩盤浴装置１の内部で岩盤浴をするためには、ボイラ９により温水パイプ５の内部を通る温水を循環させ、温水パイプ５によりモルタル８及び岩盤石７を加熱すると共に、散水ノズル１０によりモルタル８の上に蒸発用の水３９をまく。この際、モルタル８及び岩盤石７の温度が４５℃程度、岩盤浴装置１の内部の気温が４０℃程度、岩盤浴装置１の内部の湿度が６０％以上となるようにするのが望ましい。そして、温水パイプ５により岩盤石７が加熱されれば、岩盤石７から遠赤外線が放射されるので、入浴者Ｎが岩盤石７の上に図２のように寝たり、座ったりすることにより岩盤浴をすることができる。
【００４５】
このように、岩盤浴装置１においては、以下のような利点がある。
（１−１）断熱効率が高い冷凍用コンテナ２を使用しているので、熱の放出が少なく、燃料費が安い。また、壁１２や天井１３に結露が生じにくく、カビが発生しにくくなっているので、壁１２や天井１３が衛生的である。
（１−２）冷凍用コンテナ２の使用によりユニット化されているので、ａ）工期が短くて済む、ｂ）岩盤浴施設工事の専門家が不要である、ｃ）故障が少ない、ｄ）岩盤浴装置１が接続されるか又は岩盤浴装置１に隣接する建物への湿気の影響がない、ｅ）量産により低コストでの製造が可能である、等の特徴がある。
（２−１）温水パイプ５と岩盤石７との間にモルタル８よりも熱伝導率の高いエキスパンドメタル６が介在し、施工床面の加熱効率が良好であるので、施工床面の温度の均一化及び昇温時間の短縮化を図ることができる。
（２−２）施工床面は、モルタル８の上面又は岩盤石７の上面で構成されていて清掃し易いので、衛生的である。
（２−３）モルタル８の上に散水するだけで内部を加湿でき、加湿装置を別途用意する必要がないので、施設費及び運営経費の低減化を図ることができる。
【００４６】
ここで、図３のように、散水ノズル１０の近傍に温水パイプ５の一部を密集させておけば、散水ノズル１０の近傍の施工床面をより効率良く加熱でき、散水ノズル１０からまかれた水３９がより蒸発し易いので、加湿効率を向上させることができるという利点がある。また、岩盤浴装置１の仕様を規格化して工場生産しておけば、岩盤浴装置１の設置現場における作業を低減化できるので、施工の迅速化、効率化、及び安定化、並びに原価の低減化を図ることができるという利点がある。
【産業上の利用可能性】
【００４７】
以上のように、本発明に係る岩盤浴装置は、壁や天井等の断熱効率を良好にし、壁や天井等を衛生的とするのに適しており、介護施設、ペンション、旅館、ホテル、飲食店、スポーツクラブ、銭湯、温泉施設、公民館、戸建住宅、集合住宅等における岩盤浴が可能な付属施設等として好適に利用することができる。
【図面の簡単な説明】
【００４８】
【図１】実施形態に係る岩盤浴装置を設置した状態を示す斜視図である。
【図２】岩盤浴装置の概略横断面図である。
【図３】温水パイプの設置例を示す概略説明図である。
【図４】岩盤浴装置の床部分を示す拡大縦断面図である。
【図５】ワイヤーメッシュの要部拡大平面図である。
【図６】エキスパンドメタルの要部拡大斜視図である。
【符号の説明】
【００４９】
１  岩盤浴装置
２  冷凍用コンテナ
Ｇ  岩盤浴手段
３  断熱材
４  ワイヤーメッシュ
５  温水パイプ
６  エキスパンドメタル
７  岩盤石
８  モルタル
９  ボイラ
１０  散水ノズル
１１  床
１２  壁
１３  天井
１５  断熱材（断熱層）
１９  断熱材（断熱層）
２１  線材
３９  水
【図１】
2008125883.tif 000003
【図２】
2008125883.tif 000004
【図３】
2008125883.tif 000005
【図４】
2008125883.tif 000006
【図５】
2008125883.tif 000007
【図６】
2008125883.tif 000008